(57)【要約】【課題】トラップの貯留部より上流側の配管内を洗浄可能なサイホン排水システムおよびその洗浄方法を提供することを目的とする。【解決手段】本発明のサイホン排水システムは、排水が溜まり得る貯留部を備えたトラップと、前記貯留部の下流側に設けられた通気弁と、前記通気弁の下流側に設けられたサイホン排水管とを有し、前記通気弁は、当該通気弁の開閉動作を任意に行うことができる。また本発明のサイホン排水システムの洗浄方法は、排水が溜まり得る貯留部を備えたトラップと、前記貯留部の下流側に設けられ、常時閉式の通気弁と、前記通気弁の下流側に設けられたサイホン排水管とを有するサイホン排水システムの洗浄方法であって、サイホン力発生中に、前記通気弁の閉状態を維持させる工程を有する。【選択図】図１
2020033769.tif 000002
【特許請求の範囲】
【請求項１】
排水が溜まり得る貯留部を備えたトラップと、前記貯留部の下流側に設けられた通気弁と、前記通気弁の下流側に設けられたサイホン排水管とを有し、
前記通気弁は、当該通気弁の開閉動作を任意に行うことができる、サイホン排水システム。
【請求項２】
前記通気弁が常時閉式の弁であり、使用者が、任意に、当該通気弁の閉状態が維持されるように操作することができる、請求項１に記載のサイホン排水システム。
【請求項３】
前記サイホン排水システムが前記サイホン排水管でサイホン力が発生したことを検知するサイホン力検知部を有し、
前記通気弁が常時閉式の弁であり、
前記サイホン力検知部がサイホン力の発生を検知することで、前記通気弁の閉状態が維持されるように動作する、請求項１に記載のサイホン排水システム。
【請求項４】
前記サイホン排水システムが、排水が行われていないことを検知する排水検知部を有し、
前記排水検知部が、排水が行われていないことを検知することで、前記通気弁の閉状態の維持が解除される、請求項３に記載のサイホン排水システム。
【請求項５】
前記通気弁の閉状態の維持が解除されることと連動して、前記トラップの前記貯留部に封水を供給する、封水充填機構を有する、請求項２〜４のいずれかの１項に記載のサイホン排水システム。
【請求項６】
排水が溜まり得る貯留部を備えたトラップと、前記貯留部の下流側に設けられ、常時閉式の通気弁と、前記通気弁の下流側に設けられたサイホン排水管とを有するサイホン排水システムの洗浄方法であって、
サイホン力発生中に、前記通気弁の閉状態を維持させる工程を有する、サイホン排水システムの洗浄方法。
【発明の詳細な説明】
【技術分野】
【０００１】
本発明は、サイホン排水システムおよびサイホン排水システムの洗浄方法に関する。
【背景技術】
【０００２】
近年では、従来の勾配排水構造に代わるものとして、サイホン排水構造が提案されている（例えば特許文献１）。サイホン排水構造は、水回り機器にサイホン排水管を接続し、サイホン排水管の垂下部をなす竪管にて発生するサイホン力（負圧力）を利用して、水回り機器からの排水効率を向上させる構造である。
ここで、サイホン排水構造は、水回り機器と、当該水回り機器の下流側に接続され、排水が溜まり得る貯留部を備えたトラップと、貯留部の下流側に設けられた通気弁と、当該貯留部の下流側に設けられたサイホン排水管を有することができる。このようなサイホン排水構造では、通常、トラップの貯留部において封水が十分に溜まった状態になっており、それにより、トラップの上流側と下流側との空間を、封水を介して遮断し（以下、「封水によりトラップの上流側と下流側との空間を遮断した状態」を「封水状態」とも称す）、例えば、下流側からの臭気や害虫等の侵入を防いでいる。また、このサイホン排水構造では、トラップの貯留部の下流側に通気弁が設けられており、それを通じて、サイホン力が生じた際に空気を取入れることで、サイホン力発生に伴ってトラップ中の排水が減少して封水切れ（破封）が生じることを防いでいる。
【先行技術文献】
【特許文献】
【０００３】
【特許文献１】特開２０１６−１９６７４４号公報
【発明の概要】
【発明が解決しようとする課題】
【０００４】
ところで、上記のようなサイホン排水システムでは、サイホン力が及ぶ配管においては、そのサイホン力（吸引力）によって排水が強制的に速い流速で排出されるので、排水に伴って汚れが流されて配管内が比較的洗浄された状態になる。それに対して、トラップの貯留部より上流側の配管内では、サイホン力が生じた際に通気弁が作動することによってサイホン力が及ばず速い流速で排水が流れないようになっているので、上記なような汚れ除去作用が生じず、汚れが配管内に溜まりやすい傾向がある。
【０００５】
本発明は、上述した課題を解決するものであり、トラップの貯留部より上流側の配管内を洗浄可能な、サイホン排水システム、および、トラップの貯留部より上流側の配管内を洗浄可能な、サイホン排水システムの洗浄方法を提供することを目的とする。
【課題を解決するための手段】
【０００６】
本発明のサイホン排水システムは、排水が溜まり得る貯留部を備えたトラップと、前記貯留部の下流側に設けられた通気弁と、前記通気弁の下流側に設けられたサイホン排水管とを有し、前記通気弁は、当該通気弁の開閉動作を任意に行うことができるものである。
本発明のサイホン排水システムによれば、通気弁の開閉動作を任意に行うことができるので、トラップの貯留部より上流側の配管内を洗浄することができる。
【０００７】
本発明のサイホン排水システムでは、前記通気弁が常時閉式の弁であり、使用者が、任意に、当該通気弁の閉状態が維持されるように操作することができることが好ましい。この構成によれば、使用者が破封に気づいてトラップに封水を供給することができる。
なお、本発明において、通気弁が「常時閉式の弁」とは、通常（例えば通気弁の閉状態が維持されるような操作や動作がなされていない状態）、通気弁に対して開口させるための外力が付与されない限り閉状態となっている弁であることを指し、当該「外力」とは、例えば通気弁がドルゴ通気弁であれば、通気弁の内側の方が圧力が低い場合等に内外の圧力差により生じる力や、例えば通気弁が電磁弁であれば励磁（通電）により生じる力を指す。
【０００８】
本発明のサイホン排水システムでは、前記サイホン排水システムが前記サイホン排水管でサイホン力が発生したことを検知するサイホン力検知部を有し、前記通気弁が常時閉式の弁であり、前記サイホン力検知部がサイホン力の発生を検知することで、前記通気弁の閉状態が維持されるように動作することがより好ましい。この構成によれば、適切なタイミングで洗浄することができる。
【０００９】
本発明のサイホン排水システムでは、前記サイホン排水システムが、排水が行われていないことを検知する排水検知部を有し、前記排水検知部が、排水が行われていないことを検知することで、前記通気弁の閉状態の維持が解除されることが好ましい。この構成によれば、トラップが破封するのを防ぐことができる。
なお、本発明において、「排水が行われていない」とは、例えば水回り機器において水道の使用が終わった後や、水回り機器に備えられたディスポーザーの使用が終わった後等であって、水回り機器内の水（水道）を受ける領域やディスポーザー内に水が残存し、そこから若干の排水が排出され得る状態を指す。
【００１０】
また、本発明のサイホン排水システムでは、前記通気弁の閉状態の維持が解除されることと連動して、前記トラップの前記貯留部に封水を供給する、封水充填機構を有することが好ましい。この構成によれば、トラップが破封しても封水を回復することができる。
【００１１】
本発明のサイホン排水システムの洗浄方法では、排水が溜まり得る貯留部を備えたトラップと、前記貯留部の下流側に設けられ、常時閉式の通気弁と、前記通気弁の下流側に設けられたサイホン排水管とを有するサイホン排水システムの洗浄方法であって、サイホン力発生中に、前記通気弁の閉状態を維持させる工程を有する。
本発明のサイホン排水システムの洗浄方法によれば、通気弁の開動作を任意に行うことができるので、トラップの貯留部より上流側の配管内を洗浄することができる。
【発明の効果】
【００１２】
本発明によれば、トラップの貯留部より上流側の配管内を洗浄可能なサイホン排水システムおよびその洗浄方法を提供することができる。
【図面の簡単な説明】
【００１３】
【図１】本発明の一実施形態に係るサイホン排水システムを示す概略図である。
【図２】図１の通気弁の一例を示す断面図である。
【図３】本発明の一実施形態の変形例に係るサイホン排水システムの一部を、排水が完了した後であって封水切れとなった状態で示す、一部断面図である。
【図４】図３に示すサイホン排水システムの一部を示す斜視図である。
【図５】図３に示すサイホン排水システムを変形させた第１の例の一部を示す斜視図である。
【図６】図３に示すサイホン排水システムを変形させた第２の例の一部を示す斜視図である。
【発明を実施するための形態】
【００１４】
以下に、図面を参照しつつ、本発明の実施形態について例示説明する。
まず、図１を用いて、本発明の一実施形態に係るサイホン排水システムについて説明する。
図１において例示するサイホン排水システム１０は、水回り機器１１、第１の排水管１２、トラップ１３、通気弁１４、直管１５、横引き管１６、竪管１７、および、合流継手１８を介して接続される合流管１９により構成されている。図１に示す例での水回り機器１１は、台所流しであり、また、その排水口にはディスポーザー２０が設けられている。なお、水回り機器１１は、排水を行うものであれば特に種類は限定されず、食洗機、洗面台、洗濯機、ユニットバス等の風呂に備えられる浴槽及び洗い場、トイレ等とすることができる。
【００１５】
具体的には、住居の床パネル２０上には、水回り機器１１が配置され、排水システム１０は、水回り機器１１から、当該水回り機器１１に接続された第１の排水管１２と、当該水回り機器１１の下流側に設けられ、排水が溜まり得る貯留部１３１を備えたトラップ１３と、貯留部１３１の下流側に設けられた通気弁１４と、を有している。このようなサイホン排水システム１０では、通常、トラップ１３の貯留部１３１において封水が十分に溜まった状態になっており、それにより、トラップ１３の上流側と下流側との空間を、封水を介して遮断し、例えば、下流側からの臭気や害虫等の侵入を防ぐことができる。また、このサイホン排水システム１０では、サイホン力（負圧）が生じた際に通気弁１４が開の状態となり通気弁１４を通じて空気が取り入れられることで、配管内の圧力が常圧に戻って封水切れ（破封）が生じることを防ぐことができる（封水状態を維持することができる）。
【００１６】
ついで、サイホン排水システム１０は、トラップ１３の下流側に接続され、床パネル２０下で床スラブ２２付近まで排水を導くための直管１５と、当該直管１５の下流側に接続され、水平方向に延びる横引き管１６と、当該横引き管１６の下流側に接続され、床スラブ２２の配管用穴２３を貫通する竪管１７と、竪管１７の下流側に合流継手１８を介して接続される合流管１９とを有している。また、横引き管１６は、従来の勾配排水に用いられている配管よりも細い管からなり、また略水平（略無勾配）に設置されている。
なお、本発明の実施形態に係るサイホン排水システム１０のサイホン排水管２４は、トラップ１３の貯留部１３１の下流側に設けられた配管であって、図１の例では、直管１５と横引き管１６と竪管１７とにより構成されている。
このようなサイホン排水システム１０では、水回り機器１１から流れてきた排水が、横引き管１６内が排水で満水になりやすくなっており、満水になった状態で横引き管１６から竪管１７へ排水が流入し、排水を下方へ流下させることによりサイホン力を発生させることができる。発生したサイホン力により引っ張られることで横引き管１６の排水が行われる。
【００１７】
合流管１９は横引き管１６や竪管１７よりも大径の管体であって、建築物を上下に貫通して設けられている。上述の通り、合流管１９は水回り機器１１からの排水流路と接続されているが、図示しない他の水回り機器からの排水流路とも接続され、下流側において図示しない浄化槽と接続している。
【００１８】
ここで、本実施形態のサイホン排水システム１０においては、通気弁１４が通気弁１４の開閉動作を任意に行うことができるようになっている。したがって、本実施形態では、トラップ１３の貯留部１３１より上流側の配管内を任意に洗浄することができる。具体的には、上述のように通常は、水回り機器１１から供給された排水によってサイホン力発生した際には、サイホン排水システム１０に設けられた通気弁１４が開の状態となり封水切れを起こさないようになっている。これに対して、例えばサイホン力が発生した際に通気弁１４の開閉動作について通気弁１４が閉状態となるように維持（常時閉式の場合）または動作（常時開式の場合）させることにより、サイホン力がトラップ１３中の封水を介してトラップ１３の貯留部１３１より上流側の配管内にも及ぶこととなり、そのサイホン力の吸引力によって水回り機器１１から供給された排水が強制的に排出されて配管が洗浄されるようにすることができる。
【００１９】
ところで、通気弁１４は、特に限定されず、例えば常時開式、常時閉式の弁とすることができる。サイホン排水システム１０の不使用時において通気弁１４に対して操作を行うことなく排水管内の臭気が通気弁１４を介して漏れ出ないようにする観点から、常時閉式の弁とするのが好ましい。常時閉式の通気弁１４としては、特に限定されないが、ドルゴ通気弁、電磁弁等用いることができる。
また、本実施形態においては、図示は省略するが、通気弁１４の開閉動作が任意に行われるようにするために、通気弁１４に加えて、例えば通気弁１４と排水管（トラップ１３やサイホン排水管２４）とを連結する連結管２５（図１参照）に、通気弁１４と排水管とを遮断する任意に開閉動作可能な追加の弁を別途設けることができ、それにより、通気弁１４の開閉動作が任意に行われるようにすることができる。具体的には、例えば通気弁１４を常時閉式の弁とし、連結管２５に、追加の弁として任意に閉動作可能な常時開式の弁（例えば常時開式の電磁弁）を設けることで、追加の弁を介して通気弁１４の開閉動作が任意に行われるようにすることができる。
【００２０】
なお、本実施形態のサイホン排水管システムでは通気弁１４の開閉動作が任意に行われ、それによりトラップ１３の貯留部１３１より上流側の配管にサイホン力を及ぼすことができる（その結果、上流側の配管内を洗浄可能）。そして、本サイホン排水管システムでは当該通気弁１４の開閉動作が任意に行われる以外の場合（例えば、水回り機器１１の使用時の多くの場合）において、サイホン排水管２４にサイホン力が発生してもトラップ１３の貯留部１３１の封水が封水切れとなるのを防ぐため、通気弁１４が自然に開閉してサイホン排水管２４内に外部の空気が取り入れられるようにすることが好ましい。このように、水回り機器１１の使用時の多くの場合における、封水切れを防ぐため通気弁１４が自然に開閉する状態を「通常動作状態」とも称す。
【００２１】
ここで、本実施形態の第１の態様では、通気弁１４に関して、通気弁１４を常時閉式の弁とし、使用者（例えば水回り機器１１の使用者）が、任意に、当該通気弁１４の閉状態が維持されるように操作することができるようになっている（以下、通気弁１４の閉状態が維持されるように操作することを、「閉状態維持操作」とも称す）。したがって、使用者のタイミングで操作可能であるので、任意のときに配管内を洗浄可能である。また、使用者が操作した結果、例えば通気弁１４の閉状態維持操作を長時間しすぎると、水回り機器１１から排水の供給がなくなり、破封する場合があり得るが、破封しても使用者がそれに気づいてトラップ１３の貯留部１３１に封水を供給することができる。
【００２２】
使用者による、通気弁１４の閉状態が維持されるように操作する方法としては、特に限定されないが例えば、図２に示すように、通気弁１４がドルゴ通気弁であれば、ドルゴ通気弁中の可動盤１４１が動かないようにするための固定部１４２を手で押さえ続けることで閉状態維持操作を行うことができる。具体的には、ドルゴ通気弁は、可動盤１４１、バルブシリンダー部１４３（配管に連結する部分）、ゴムシール部１４４、バルブドーム部１４５を有している。そして通常、通気弁１４の内側が常圧の場合には通気弁１４の内側の圧力と外側の圧力とに差がないので、ゴムシール部１４４に負荷する力は重力のみであり、ゴムシール部１４４が開口部１４６を押さえつけることで弁が閉状態となっている。これに対して、通気弁１４の内側が負圧になった場合には、通気弁１４の外側の圧力がゴムシール部１４４に対して図面の下方から上方に付加し、可動盤１４１とともにゴムシール部１４４が押し上げて、開口部１４６が開くことで弁が開状態となる。そして、図２の通気弁１４には、バルブドーム部１４５に、バルブドーム部１４５を貫通し、摺動するように固定部１４２およびそれをバルブドーム部１４５に取り付けるための取付部１４７が設けられており、当該固定部１４２によって可動盤１４１およびゴムシール部１４４が動かないようにすることで閉状態維持操作を行うことができる。
【００２３】
また、使用者による、通気弁１４の閉状態が維持されるように操作する他の方法としては、図２において、固定部１４２をその取付部１４７に対して螺合可能であれば、固定部１４２を回して可動盤１４１を押下することで閉状態維持操作を行うことができる。また、固定部１４２の外径を取付部１４７の内径よりも僅かに大きくし、それぞれを樹脂材料で形成することで、固定部１４２を取付部１４７に対して圧入可能となり、使用者が押さえ続けなくても閉状態維持操作を行うことができる。さらに、固定部１４２を、取付部１４７に設けた例えばモーター等で可動するようにし、その動作を電子的に操作可能にすれば使用者が遠隔操作によって、閉状態維持操作を行うことができる。なお、このように固定部１４２を設ける場合、固定部１４２が可動盤１４１から十分に離間するように位置させることで通常動作状態とすることができる。
さらに、通気弁１４を電磁弁とすれば、使用者が電磁弁を電子的に操作することで閉状態維持操作を行うことができる。なお、電磁弁を用いる場合、例えば後述のサイホン力検知部を設けた上で、サイホン力検知部でサイホン力が発生したことを検知しその信号によって電磁弁が自動的に開状態となるようにすることで、通常動作状態とすることができる。
【００２４】
さらに、使用者による、通気弁１４の閉状態が維持されるように操作するさらに他の方法としては、図２に例示するような通気弁１４内の可動盤１４１を動作させないようにする方法ではなく、通気弁１４と排水管（トラップ１３やサイホン排水管２４）とを連結する連結管２５に、例えば常時開式の弁、電磁弁等の追加弁を設け、それを使用者が閉状態となるように手動によってまたは遠隔から操作することにより、閉状態維持操作を行うことができる（この場合、追加弁によってサイホン力が通気弁１４に及ぶのを遮断して通気弁１４の閉状態が維持される）。
【００２５】
また、本実施形態のサイホン排水システム１０では、上記のように、使用者が通気弁１４の閉状態が維持されるように操作した結果、例えば閉状態維持操作を長時間しすぎ、水回り機器１１から排水の供給がなくなり、破封する場合もあり得る。このように破封した場合には上述のように使用者が封水を供給することもできるが、例えば、上記のように、固定部１４２を例えばモーター等で可動するようにしたり、通気弁１４や追加弁を電磁弁とした場合など、閉状態維持操作を電子的に操作可能にした場合には、使用者が閉状態維持操作を行った後、所定の時間が経過すると当該閉状態維持操作が自動的に解除されるようにすることもできる（すなわちタイマー機能を有することができる）。具体的には、閉状態維持操作を行った後所定の時間が経過して通気弁１４の閉状態の維持が解除されることで、サイホン力が発生し続けていれば、通気弁１４が開の状態となって、封水切れ（破封）が生じることを防ぐことができる（封水状態を維持するようになる）。
【００２６】
つづいて、本実施形態の第２の態様を説明する。上記の第１の態様は、使用者が通気弁１４の閉状態が維持されるように操作する態様であるが、第２の態様は、自動的に通気弁１４の閉状態が維持されるように動作する態様である。具体的には、本実施形態の第２の態様では、サイホン排水システム１０がサイホン排水管２４でサイホン力が発生したことを検知するサイホン力検知部を有し、通気弁１４が常時閉式の弁となっている。さらに、サイホン排水システム１０は、サイホン力検知部がサイホン力の発生を検知することで、通気弁１４の閉状態が維持されるように動作する（以下、通気弁１４の閉状態が維持されるように動作することを、「閉状態維持動作」とも称す）。このようにすることにより、適切なタイミングでトラップ１３の貯留部１３１より上流側の配管内を洗浄することができる。
ここで、上記の通気弁１４の閉状態を維持させる動作は、サイホン力検知部による信号を受信し、当該信号に基づき通気弁１４の閉状態が維持されるように動作させる制御部をサイホン排水システム１０に設け、当該制御部により動作させることができる。
【００２７】
また、通気弁１４の閉状態を維持するように動作させる方法としては、先述の本実施形態の第１の態様において説明したように、通気弁１４がドルゴ通気弁であれば、図２に例示する固定部１４２を、取付部１４７に設けた例えばモーター等で可動するようにし、その動作を制御部が制御することによって、閉状態維持動作をさせることができる。さらに、通気弁１４を電磁弁とすれば、制御部が電磁弁を制御することで閉状態維持動作をさせることができる。また、通気弁１４と排水管との間の連結排水管に、例えば常時開式の弁、電磁弁等の追加弁を設け、それを制御部が閉状態となるように制御することにより、閉状態維持動作をさせるようにすることができる。
【００２８】
サイホン力検知部は、例えば、負圧を検知可能な圧力センサとすることや、配管内の排水の流速を検知可能な流速センサとすることができる。また、サイホン力検知部は、例えばトラップ１３の貯留部１３１より下流側に配置することができる。
【００２９】
本実施形態の第２の態様において、サイホン力検知部がサイホン力を検知し閉状態維持動作をし、所定の時間が経過した後に制御部が通気弁１４の閉状態の維持を自動的に解除することができる。このようにすることで、トラップ１３が破封することを防止することができる。
また、本実施形態の第２の態様においては、サイホン排水システム１０が、排水が行われていないことを検知する排水検知部を有し、排水検知部が、排水が行われていないことを検知することで、通気弁１４の閉状態の維持が解除されるようにすることもできる。このようにすることで、封水切れ（破封）が生じる前に通気弁１４が開の状態となって、封水切れ（破封）が生じることを防ぐことができるか、或いは、封水切れ（破封）が生じても水回り機器１１に残った水によって封水を充填することができる（封水状態を維持するようになる）。なお、排水検知部としては、例えば水回り機器１１において水道の使用終了（例えば水道の蛇口からの水の供給停止）を検知するセンサとすることや使用終了の信号を受信可能な受信部を備えるものとすることができる。また、排水検知部としては、例えば、図１の例のように水回り機器１１にディスポーザー２０が設けられていれば、ディスポーザー２２の使用終了を検知するセンサとすることや使用終了の信号を受信可能な受信部を備えるものとすることをもできる。さらに、排水検知部としては、当該ディスポーザー２０がその使用と連動して内部に給水可能な給水機能を有していれば、ディスポーザー２２の給水機能の給水停止を検知するセンサとすることや給水停止の信号を受信可能な受信部を備えるものとすることもできる。
【００３０】
そして、本実施形態の第１および第２の態様に係るサイホン排水システム１０では、通気弁１４の閉状態の維持が解除されることと連動して、トラップ１３の貯留部１３１に封水を供給する封水充填機構を有することができる。このようにすることで、通気弁１４の閉状態の維持によってトラップ１３が破封しても、当該通気弁１４の閉状態の維持の解除と連動して封水充填機構から封水が供給されるので、トラップ１３の封水を回復することができる（封水状態にすることができる）。なお、封水充填機構が供給する封水の量は、トラップ１３の貯留部１３１において封水状態とするための最小の水の容積より大きい量であり、より好ましくは、トラップ１３の貯留部１３１において封水状態とするための最大の水の容積より大きいことがより好ましい。これにより、より確実にトラップ１３を封水状態とすることができる。
【００３１】
本実施形態において、封水充填機構としては、通気弁１４の閉状態の維持が解除された信号を受信して、水回り機器１１に用い得る水系統から自動的に給水するようにすることができる。具体的には、水系統から分岐させ、例えば水回り機器１１の排水口付近に連結させた管、またはトラップ１３の貯留部１３１よりも上流側の排水管と連結させた管によって水を導き、そして、通気弁１４の閉状態の維持が解除された信号を受信した場合には水回り機器１１の排水口付近に、またはトラップ１３の貯留部１３１よりも上流側の排水管内に、自動的に水を封水として所定の量供給する機構にすることができる。また、図１に例示する水回り機器１１はディスポーザー２０を有することから、封水充填機構を、ディスポーザー２０を使用した後に水が封水として所定の量供給される機構とすることができる。なお、サイホン排水システム１０に通気弁１４の閉状態の維持が解除された際に信号を発信する解除発信部を設けることにより、封水充填機構が、通気弁１４の閉状態の維持が解除されることと連動して、トラップ１３の貯留部１３１に封水を供給することができる。
なお、封水充填機構としては、例えば、上記の本実施形態の第２の態様においては、通気弁１４の閉状態の維持が解除されることと連動せずに、排水検知部による、排水が行われていないことの検知に連動して、水回り機器１１に用い得る水系統から自動的に給水するようにしたり、ディスポーザー２０を使用した後に水が封水として所定の量供給される機構としたりすることもできる。
【００３２】
また、封水充填機構としては、上記のものに代えて、下記の変形例に係る機構とすることができる。
すなわち、本変形例に係る封水充填機構３０としては、図３に示すように、排水の一部が流入可能な開口部３１１を有し且つ排水を一時的に保持可能な保持部３１と、当該保持部３１が保持した排水を排出する排出路３２と、を備えた機構とすることができる。このようにすることで、保持部３１において、例えば水回り機器１１を使用した際の排水の一部が保持部３１の開口部３１１を通じて流入して排水を一時的に保持し（保持部３１に排水が溜まる）、トラップ１３中の封水切れが生じたとしても、当該保持部３１が保持した排水が、排出路３２を介してトラップ１３の貯留部１３１に供給されて封水を充填することが可能となる。なお、本変形例では、図３に示すように、水回り機器１１がディスポーザー２０を有しているが、ディスポーザーを有しない水回り機器１１とすることもできる。
【００３３】
封水充填機構３０として、図３に示すように、保持部３１と排出路３２と、を備えた場合には、図３の例に示すように、保持部３１は、水回り機器１１の内側面と、水回り機器１１の内側面に設けられた筒状部１１１とによって形成することができる。このように水回り機器１１が、筒状部１１１を備えることで、筒状部１１１の上端部と水回り機器１１の内側面とで形成された保持部３１の開口部３１１を通じて、水回り機器１１を使用した際の排水の一部が保持部３１に流入して、保持部３１が排水を一時的に保持する。このように保持部３１を形成することで、排水の排水口への流れを妨げることなく、保持部３１が排水を一時的に保持しやすくすることができる。
【００３４】
この筒状部１１１は、図３の例では、封水充填機構３０をより容易に備えるようにする観点から、水回り機器１１の底部の排水口上に、取り外し可能に設けられている。また、筒状部１１１は、例えば樹脂製とすることができ、その内径は、第１の排水管１２と略同じであり、また、筒状部１１１の内径および外径は、筒状部１１１の軸方向で略一定となっている。筒状部１１１は、図示の例では断面が円形（全体として円筒状）となっているが、任意の形状にすることができる。
【００３５】
水回り機器１１の排水口は、図３の例に示すように、内径が、筒状部１１１の排水口への取付け部分の外径と同じまたは僅かに大きい切欠き部を有しており、それにより筒状部１１１と排水口とを嵌合させることができる。また、当該嵌合をより確実に行うために、筒状部１１１の排水口への取付け部分には、例えばゴム製のパッキンを取り付けることができる。
なお、図３の例では、上述のように筒状部１１１が取り外し可能になっているが、例えば、水回り機器１１と筒状部１１１とを一体としたり、または、水回り機器１１がディスポーザーを有しない場合には排水管２３を水回り機器１１の排水口を貫通させることで排水管２３と筒状部１１１とを一体とすることもできる。
【００３６】
また、本変形例では、図３、４に示すように、排出路３２は筒状部１１１の側面の下方に形成された貫通孔３３となっている。それゆえに、封水充填機構３０をより効果的に備えるようにすることができる。なお、筒状部１１１の側面の「下方」とは、筒状部１１１を水回り機器１１に取り付けた状態視での下方を意味し、筒状部１１１の側面の下方とは貫通孔３３は筒状部１１１の側面のうち、水回り機器１１の排水口寄りの部分である。
また、図示の例では、図４に示すように、排出路３２は、筒状部１１１の軸方向に並ぶ複数の円形の貫通孔３３（図では３個）からなる列を筒状部１１１の周囲に設けることで形成されている。しかし、排出路３２は、図の例の形状や個数、さらに配置形態に限らず、例えば、筒状部１１１の側面の下方に形成されたスリット（周方向や軸方向に延びる長方形）や筒状部１１１の一部（例えば側面の下方）または全部に形成した網目など、任意にすることができる。
【００３７】
本実施形態では、図３に示すように、保持部３１が一時的に保持可能な排水の容積（最大容積）は、トラップ１３の貯留部１３１において封水状態とするための最小限の水の容積より大きくなっている。このようにすることにより、封水切れとなっても確実に封水を回復することができる。トラップ１３の貯留部１３１において封水状態とするための最小の水の容積は、用いられる配管の大きさ等によって変化し得、したがって、保持部３１が一時的に保持可能な排水の容積も変化し得る。本実施形態では、保持部３１が一時的に保持可能な排水の容積は、より確実な封水の確保の観点から、トラップ１３の貯留部１３１において封水状態とするための最大の水の容積より大きくなっていることがより好ましい。
【００３８】
また、図３に示す例では、水回り機器１１が、図３の断面視で、壁面１１２と、排水が排水口に向かって流れるように水平方向から若干傾斜した緩傾斜部１１３とを有しており、さらに、当該緩傾斜部１１３より下方へ窪んだ形状となっている凹部１１４を有している。水回り機器１１が、凹部１１４を有することにより保持部３１によって排水を保持しやすくすることができる。
【００３９】
なお、図３に示す例では、保持部３１の開口部３１１および筒状部１１１の開口部は覆われておらず、例えば排水中のごみを取り除くための蓋が設けられていないが、保持部３１へのごみの流入を低減するためにメッシュ状または格子状等となった蓋を配置することができる。
【００４０】
なお、封水充填機構３０が、保持部３１と排出路３２と、を備える場合、排出路３２の開口部の面積（排出路３２が図３のように複数存在する場合には、全ての排出路３２の開口部の面積の合計）を４〜５０ｍｍ2とすることが好ましく、より好ましくは、排出路３２の開口部の全ての面積を９〜１８ｍｍ2である。排出路３２の開口部の全ての面積を４ｍｍ2以上とすることにより、保持部３１に保持される排水を効果的に排出路３２より排出することができ、排出路３２の開口部の全ての面積を５０ｍｍ2以下とすることにより、トラップ１３でのサイホン力が取り除かれた際に、保持部３１に排水を効果的に保持した状態にすることができる。なお、「排出路の開口部の面積」は、排出路３２の保持部３１の内側への開口部と外側への開口部のうち外側へ開口する開口部の面積を指す。
【００４１】
ここで、図３、４に例示する変形例が有する排出路３２を変形させた第１の例として、図５のように、排出路３２を、筒状部１１１の側面の下方に形成された貫通穴３３と、当該貫通穴３３から延びる管状体３４とで形成することができる。具体的には、図５に例示する排出路３２では、排出路３２が図４に例示す排出路３２よりも少なく図示では２個となっている。また、図５に例示する排出路３２では、排出路３２（貫通孔３３）の１つあたりの開口面積が図４の排出路３２（貫通孔３３）よりも比較的大きくなっている。さらに、図５に例示する排出路３２は、貫通孔３３から延びる管状体３４を有しており、管状体３４が筒状部１１１の周囲を保持部３１の底面を沿うように配置されている。そして、図５に例示する例では、保持部３１の排水の排出は、管状体３４の端部の開口部を排水が流入し、筒状部１１１の貫通孔３３から排出することで行われる。このように排出路３２を貫通穴３３と管状体３４とで形成することで、管状体３４も保持部としての役割を果たすことができる。なお、図５の例では、保持部３１の外部への排水の排出は管状体３４の軸方向の端部から排水が流入することで行われているが、例えば、管状体３４の軸方向の、端部以外の任意の場所（例えば管状体３４の中間）に、１つまたは複数の開口部を管状体３４の鉛直方向上方の側壁に設けて、さらに排水の排出を行いやすくすることもできる。
【００４２】
さらに、図３、４に例示する変形例が有する排出路３２を変形させた第２の例としては、図示は省略するが例えば、保持部３１が形成されている水回り機器１１の底部の表面に、排水口に向かって延び排水口に開口する溝を形成し、筒状部（貫通孔を有していても有しなくてもよい）を、当該溝を覆うように（溝の内部を塞がないように）に水回り機器１１の底部の表面上に設けることで、排出路３２を、水回り機器１１の底部の表面の溝とすることもできる。或いは、保持部３１を形成する水回り機器１１の底部と第１の排水管１２とを例えば管状体で連通する連通部とすることもできる。
【００４３】
また、図３、４に例示する変形例が有する封水充填機構３０を変形させた第３の例としては、図３、４に例示する保持部３１および排出路３２に代えて、図６に示すようにすることができる。具体的には、図６に示すように、保持部３１を、軸方向に切断した部分円筒部１１５を水回り機器１１の内側面に設けることで、水回り機器１１の内側面と部分円筒１１５とで形成することができ、また、排出路３２を、当該部分円筒部１１５の側面の下方に形成された貫通穴とすることができる。
【００４４】
次に、本実施形態に係るサイホン排水システムの洗浄方法の一例について説明する。
本実施形態に係るサイホン排水システムの洗浄方法は、サイホン排水システムとして、上記で説明したサイホン排水システム１０のような、排水が溜まり得る貯留部１３１を備えたトラップ１３と、貯留部１３１の下流側に設けられ、常時閉式の通気弁１４と、通気弁１４の下流側に設けられたサイホン排水管２４とを有するサイホン排水システムを洗浄することができ、当該洗浄方法は、サイホン力発生中に、通気弁１４の閉状態を維持させる工程（以下、維持工程とも称す）を有している。当該工程を有することにより、発生したサイホン力がトラップ１３中の封水を介してトラップ１３の貯留部１３１より上流側の配管内にも及ぶこととなり、そのサイホン力の吸引力によって水回り機器１１から供給された排水が強制的に排出されて配管が洗浄されるようにすることができる。
【００４５】
本実施形態において、維持工程では、通気弁１４の閉状態の維持を、使用者の操作によって行うことができる。また、サイホン排水システム１０がサイホン排水管２４でサイホン力が発生したことを検知するサイホン力検知部を有する場合には、通気弁１４の閉状態の維持を、サイホン力検知部による検知を受信し、当該信号に基づき通気弁１４の閉状態が維持されるように動作させる制御部により動作させることもできる。
【００４６】
上記の維持工程後においては、通気弁１４の閉状態が維持され所定の時間が経過した後に、通気弁１４の閉状態の維持が自動的に解除される工程を有することができる。このようにすることで、トラップ１３が破封することを防止することができる。
【００４７】
また、本実施形態において、サイホン排水システム１０がサイホン排水管２４でサイホン力が発生したことを検知するサイホン力検知部を有する場合には、サイホン排水システム１０が、排水が行われていないことを検知する排水検知部を有し、そして、維持工程後において、排水検知部が、排水が行われていないことを検知して、通気弁１４の閉状態の維持を解除する工程を有することができる。これにより、トラップ１３が破封するのを防ぐことができる。
【００４８】
さらに、本実施形態において、サイホン排水システム１０が通気弁１４の閉状態の維持が解除されることと連動して、トラップ１３の貯留部１３１に封水を供給する封水充填機構を有し、そして、維持工程後において、通気弁１４の閉状態の維持が解除されることで、封水充填機構がトラップ１３の貯留部１３１に封水を供給する工程を有することができる。これにより、トラップ１３が破封しても封水を回復することができる。
【００４９】
以上、図面を参照して本発明の実施形態を説明したが、本発明のサイホン排水システムは、上記一例に限定されることは無く、適宜変更を加えることができる。また、本実施形態に係るサイホン排水システムの洗浄方法の一例の説明において、サイホン排水システムとして、上記で説明したサイホン排水システム１０を用いて説明したが、本実施形態に係るサイホン排水システムの洗浄方法でのサイホン排水システムは当該サイホン排水システム１０に限定されることは無く、適宜変更を加えることができる。
【産業上の利用可能性】
【００５０】
本発明によれば、トラップの貯留部より上流側の配管内を洗浄可能なサイホン排水システムおよびその洗浄方法を提供することができる。
【符号の説明】
【００５１】
１０：サイホン排水システム、  １１：水回り機器、  １１１：筒状部、  １１２：壁面、  １１３：緩傾斜部、  １１４：凹部、  １１５：部分円筒部、  １２：第１の排水管、  １３：トラップ、  １３１：貯留部、  １４：通気弁、  １４１：可動盤、  １４２：固定部、  １４３：バルブシリンダー部、  １４４：ゴムシール部、  １４５：バルブドーム部、  １４６：開口部、  １４７：取付部、  １５：直管、  １６：横引き管、  １７：竪管、  １８：合流継手、  １９：合流管、  ２０：ディスポーザー、  ２１：住居の床パネル、  ２２：床スラブ、  ２３：配管用穴、  ２４：サイホン排水管、  ２５：連結管、  ３０：封水充填機構、  ３１：保持部、  ３１１：（保持部の）開口部、  ３２：排出路
【図１】
2020033769.tif 000003
【図２】
2020033769.tif 000004
【図３】
2020033769.tif 000005
【図４】
2020033769.tif 000006
【図５】
2020033769.tif 000007
【図６】
2020033769.tif 000008